(57)【要約】【課題】  就寝時に身体ストレッチを補助し、且つ意識の及ばない就寝中の姿勢を維持、制御することで身体ストレッチの姿勢をより長らえ、寝ている間に身長の成長を促進する、ストレッチ用枕を提供することである。【解決手段】  後頸部５０に当接する後頸部支持部分１を後頭部６０に当接する後頭部支持部分２よりも高く形成することで、人の後頸部５０から後頭部６０にかけてのカーブに沿ってサポートする形状の枕部１００と、その両側に左右一対の翼状に付設した腕の姿勢を維持、制御するためのウィング部２００からなるストレッチ用枕。【選択図】図１
2015073669.tif 000002
【特許請求の範囲】
【請求項１】
後頸部（５０）に当接する後頸部支持部分（１）を後頭部（６０）に当接する後頭部支持部分（２）よりも高く形成することで、人の後頸部（５０）から後頭部（６０）にかけてのカーブに沿ってサポートする形状の枕部（１００）と、その両側に左右一対の翼状に付設した腕の姿勢を維持、制御するためのウィング部（２００）から構成されたストレッチ用枕。
【発明の詳細な説明】
【技術分野】
【０００１】
本発明は寝具に係り、身体ストレッチの為の姿勢維持、制御機能を備え、成長ホルモンの分泌を促し、身長の成長を促進する機能性枕に関する。
【背景技術】
【０００２】
一般に身長を伸ばすための重要な要素は、睡眠、運動、栄養であると言われている。主に睡眠中や運動後に、身長を伸ばす為に最も重要な役割を果たす成長ホルモンが分泌され、とりわけ睡眠中に多く分泌されることが広く認識されており、実際に身長が伸びるのはほとんどが睡眠中である。
【０００３】
成長ホルモンをより多く分泌させるためには、深く良質の睡眠が必要であり、就寝前の身体ストレッチが一つの有効な手段であることも広く知られている。身体ストレッチによるリラックス効果が熟睡を生み、また血行が良くなるため、成長ホルモンや栄養などを体の必要なところにいきわたらせる効果がある。
【０００４】
特に、背筋や首、足首や膝を伸ばすなど身長に関係する、体の縦方向のストレッチが効果的である。背骨を伸ばすことによって軟骨や脊椎のズレやゆがみを解消して健全な成長を促し、関節を柔らかくして柔軟な筋肉にすることで、骨の発育を妨げにくくし身長が伸びるのを助けてくれる。すなわち、よりよく身体を伸ばした姿勢で就寝することが身長の健全な成長を促進することにつながる。
【０００５】
例えば特許文献１には、身体を逆さ吊りにすることで脊柱を正しく伸ばし、全身の血行を高めて身長の成長を促進する運動器具が開示されている。
【０００６】
これとは別に、縄跳び、ジャンプなどの脚部を刺激する運動が身長を伸ばす効果があることも広く知られており、特許文献２では、歩行中に足に加えられる力を用いて、足裏の踵部と足首の特定の部位に物理的刺激と電気刺激が同時に伝達されるようにして骨端成長板を刺激することで身長の成長を促進する機能性履物が開示されている。
【０００７】
本発明とはその目的が全く異なるが、特許文献３には構成が類似した肩こり解消を目的とする肩こり解消用具が開示されている。但し輪状の帯材に挿通した両腕を頭側に保持、固定する構造となっており本発明の構造とは異なる。
【０００８】
また特許文献４にも目的が全く異なるが、いびきをかきにくくすることを目的とした枕が開示されている。本発明のウィング部を除いた枕部の構造と類似しているが、本発明の主たる機能を果たすウィング部を備えておらず、構成的には異なる。
【先行技術文献】
【特許文献】
【０００９】
【特許文献１】特開平５−１５６１６（図１）
【特許文献２】特表２０１０−５０００９９（図９（ａ）および（ｂ））
【特許文献３】実登３０７５２１２（図３）
【特許文献４】特開２００２−１７７１１４（図４）
【発明の概要】
【発明が解決しようとする課題】
【００１０】
上述の特許文献１および２の従来例は、いずれも身長の成長を促進するためのものではあるが、いずれも就寝前や就寝中の使用を前提としたものではなく、運動用具である。
【００１１】
特許文献３の従来例は、その形状から一人で装着することが相当困難であり、装着方法が固定式となっていることから取り外しも困難であり、装着中に例えば地震や火事などの不測の事態が発生した場合に危険が伴う可能性がある。
【００１２】
本発明は以上の点に鑑みて為されたものでその目的は、身体の縦方向のストレッチである両腕を頭側に伸ばし頭部を後傾する身体ストレッチを日々容易に行うことができ、意識の及ばない就寝中もその姿勢を長く維持できるように補助することで、成長ホルモンの分泌をより促し、身長が伸びやすい姿勢を長らえて、寝ている間に身長の成長を促進することができる、使用方法が簡単で安全な就寝用の枕を提供することである。
【課題を解決するための手段】
【００１３】
後頸部５０に当接する後頸部支持部分１を後頭部６０に当接する後頭部支持部分２よりも高く形成することで、人の後頸部５０から後頭部６０にかけてのカーブに沿ってサポートする形状の枕部１００と、その両側に左右一対の翼状に付設した腕の姿勢を維持、制御するためのウィング部２００からなるストレッチ用枕。以上の構成からなるストレッチ用枕に、仰臥位で枕部１００に頭部を乗せて横たわり、ウィング部２００の下に両腕を潜らせ頭側に両腕を伸ばして使用する。
【発明の効果】
【００１４】
仰臥位で横たわり頭部を枕部１００に乗せることで自然に頭部が後傾し、両腕をウィング部２００の下に潜らせ頭側に両腕を伸ばすことで、就寝前の身体ストレッチを日々意図的に行うきっかけとなり、且つ特に身体の縦方向のストレッチを補助する。また睡眠中も身体ストレッチの姿勢を維持する時間を長らえることができる。
【００１５】
睡眠中は無意識のうちに腕を自然な姿勢である体側に下ろそうとするが、ウィング部２００がその行動を制御する役割を担い、ウィング部がない場合と比べて確実に腕を頭側に維持する時間を長らえることができる。
これらにより、成長ホルモンの分泌がより促進されるとともに、意識の及ばない睡眠中でも身長が健全に成長しやすい姿勢を長らえ、身長の成長を促進することができる。
【００１６】
睡眠中に無意識に腕を体側に下ろそうとしたり寝返りを打とうとした際には、ウィング部２００が腕の動きを阻むべく制御するが、ウィング部２００の先端部分３と寝床の間には隙間１０があり、また柔軟性や弾性を備えた素材を使用することで、完全に腕の動きを阻むわけではなく、腕を水平方向に下ろしたり、少し力を加えることで容易にウィング部２００から解放可能である。
【００１７】
本発明は同時に新陳代謝を活発にし、ダイエット効果も期待できる。
【図面の簡単な説明】
【００１８】
【図１】本発明の構成斜視図
【図２】本発明の使用状態図
【図３】ウィング部２００を省略した枕部１００のみの使用状態を示す側面図
【図４】本発明の正面図
【図５】本発明の背面図
【図６】本発明の平面図
【図７】本発明の側面図
【発明を実施するための形態】
【００１９】
以下、本発明の実施の形態を説明する。本発明は図１に示すように枕部１００と、その両側に左右一対の翼状に付設した腕の姿勢を維持、制御するためのウィング部２００から構成されている。
【００２０】
図３に示すように枕部１００は人の後頸部５０に当接する後頸部支持部分１が高くなっており、そこから後頭部６０に当接する後頭部支持部分２にかけて滑らかにより低くなるように形成され、人の後頸部５０から後頭部６０にかけてのカーブに沿ってサポートする形状となっている。
【００２１】
図４、図５、図６，図７に示すとおり腕の姿勢を維持、制御するためのウィング部２００は枕部１００の両側に左右一対の翼状に付設され、アーチ状や「へ」の字状の滑らかな曲面に形成されており、図２に示すように寝床に設置した際にその先端部分３と寝床の間には、腕を容易に潜り込ませることができる隙間１０がある。
【００２２】
素材は柔軟性や弾性を備えた素材を用いる。例えば合成樹脂素材などを用いることで、ウィング部２００に関しては就寝中に無意識に腕が持ち上がるのを押さえるために制御する役割を持たせ、怪我をしないようにやさしく押さえることができる。
【００２３】
本発明を使用する際は、図２に示すように仰臥位で横たわり頭部を枕部１００に乗せて、両腕をウィング部２００の先端部分３と寝床の間にある隙間１０からウィング部２００の下に潜らせ頭側に両腕を伸ばして、身体ストレッチを行いそのままの姿勢で就寝する。睡眠中は無意識のうちに腕を自然な姿勢である体側に下ろそうとするが、ウィング部２００がその行動を制御する役割を担う。
【００２４】
睡眠中に無意識に腕を体側に下ろそうとしたり寝返りを打とうした際には、アーチ状や「へ」の字状に形成されたウィング部２００の内側に腕が引っ掛かるため腕が解放されにくくなる。このようにウィング部２００は意識の及ばない睡眠中でも腕の動きを阻み身体ストレッチの姿勢を維持すべく制御するが、その先端部分３と寝床の間には隙間１０があり、柔軟性や弾性を備えた素材を使用しているため、完全に腕の動きを制御するわけではなく、腕を水平方向に下ろしたり、少し力を加えることで容易に解放可能である。
【００２５】
本発明は就寝時のストレッチ用枕として構成しているが、就寝時に限らずストレッチを補助するための枕としても使用可能である。
【符号の説明】
【００２６】
１００  枕部
２００  ウィング部
５０  後頸部
６０  後頭部
１  後頸部支持部分
２  後頭部支持部分
３  先端部分
１０  先端部分と寝床との隙間
【図１】
2015073669.tif 000003
【図２】
2015073669.tif 000004
【図３】
2015073669.tif 000005
【図４】
2015073669.tif 000006
【図５】
2015073669.tif 000007
【図６】
2015073669.tif 000008
【図７】
2015073669.tif 000009